(57)【要約】 【課題】  本発明は通気性帽子に関するものであって、帽子を被着者の頭部にしっかりフィットさせて被ったような場合であっても、帽体と頭部の間の隙間を確実なものとすることにより、常に風が帽体内に流入するようにした結果、帽子の被着者がいつでも清涼感を感じることができる帽子を提供する。【手段】  本発明の帽子は、つばとクラウンから構成される帽子であって、クラウンの内側の帽体前部にバンドが設けられ、帽子を被着した状態において、前額部に前記バンドが接触するが前記クラウンは接触しないで、前額部と前記クラウンの間に隙間が形成される帽子において、クラウンの内側に内層を設け、前額部における前記バンドと前記内層の一端部とを連結し、前記クラウンに通気口を設けたことを特徴とする。 【選択図】図１
2018178265.tif 000002
【特許請求の範囲】
【請求項１】
つばとクラウンから構成される帽子であって、クラウンの内側の帽体前部にバンドが設けられ、帽子を被着した状態において、前額部に前記バンドが接触するが前記クラウンは接触しないで、前額部と前記クラウンの間に隙間が形成される帽子において、クラウンの内側に内層を設け、前額部における前記バンドと前記内層の一端部とを連結し、前記クラウンに通気口を設けたことを特徴とする帽子。
【請求項２】
前記クラウンに設けた通気口が前記クラウンの上部に設けた上部通気口である請求項１記載の帽子。
【請求項３】
前記クラウンに設けた通気口が前記クラウンの両側部に設けた側部通気口である請求項１または２記載の帽子。
【請求項４】
前記クラウンに設けた通気口が前記クラウンの後部に設けた後部通気口である請求項１〜３のいずれかに記載の帽子。
【発明の詳細な説明】
【技術分野】
【０００１】
この発明は、通気性帽子に関するものである。
【背景技術】
【０００２】
特許文献１には、スライドアジャスタ８を備えた帽子２であって、該スライドアジャスタは合成樹脂製のバンド１０とバックル２０からなり、前記バンドおよび／または前記バンドに連結された芯材がサイズ元（クラウン最下部）の内側（頭部と接触する面）に露出してなる帽子が記載されている。本発明によれば、バンドおよび／またはバンドに連結された芯材がサイズ元の内側に露出されるので、頭部と帽体の間に隙間が形成され、該隙間から外気が流入するため、本発明に係る帽子の被着者は十分な清涼感を感じることができる。しかしながら、帽子２を被着者の頭部にしっかりフィットさせて被ったような場合には、頭部と帽体の距離が縮まるため、その結果として空気の通り道が確保できなくなり、通気性が悪くなるという問題があった。
【０００３】
特許文献２には、スライドアジャスタを備えた帽子であって、該スライドアジャスタは合成樹脂製のバンドとバックルからなり、帽子を被着した状態において、前頭部に前記スライドアジャスタが接触するが帽体前部は接触しないことにより前頭部と前記帽体前部との間に隙間が形成され、前記バックルの押圧部が前記隙間のいずれかの位置において帽子の外側を向くように前記バンドとバックルを頭周り部に固定した帽子が記載されている。本発明によれば、帽体前部と額の間に隙間を確保することができるので、外気が前記隙間より導入されて被着者の額に直接触れるため、清涼感が改善される。しかしながら、特許文献１に記載の発明と同様に、帽子を被着者の頭部にしっかりフィットさせて被ったような場合には、頭部と帽体の距離が縮まるため、その結果として空気の通り道が確保できなくなり、通気性が悪くなるという問題があった。
【先行技術文献】
【特許文献】
【０００４】
【特許文献１】特開２０１３−２３７８３号公報
【特許文献２】特開２０１４−８８６３１号公報
【発明の概要】
【発明が解決しようとする課題】
【０００５】
本発明は通気性帽子に関するものであって、帽子を被着者の頭部にしっかりフィットさせて被ったような場合であっても、帽体と頭部の間の隙間を確実なものとすることにより、常に風が帽体内に流入するようにした結果、帽子の被着者がいつでも清涼感を感じることができる帽子を提供する。
【課題を解決するための手段】
【０００６】
本発明の帽子は、つばとクラウンから構成される帽子であって、クラウンの内側の帽体前部にバンドが設けられ、帽子を被着した状態において、前額部に前記バンドが接触するが前記クラウンは接触しないで、前額部と前記クラウンの間に隙間が形成される帽子において、クラウンの内側に内層を設け、前額部における前記バンドと前記内層の一端部とを連結し、前記クラウンに通気口を設けたことを特徴とする。
【０００７】
前記クラウンに設けた通気口が前記クラウンの上部に設けた上部通気口であることが好ましい。
【０００８】
前記クラウンに設けた通気口が前記クラウンの両側部に設けた側部通気口であることが好ましい。
【０００９】
前記クラウンに設けた通気口が前記クラウンの後部に設けた後部通気口であることが好ましい。
【発明の効果】
【００１０】
本発明に係る帽子は、前額部におけるバンドと内層の一端部とを連結することによって、前額部とクラウンの間に形成された隙間から導入された空気が、クラウンと内層の間を確実に流れていく構造になるため、被着者の清涼感が改善される。特に、マラソンやゴルフなどのスポーツ競技において、帽子を頭部にしっかりフィットさせたいという競技者の要望があるが、このような場合であってもクラウンと内層の間の隙間が小さくなることは無いので、頭部にしっかりフィットさせながらも通気性を十分に確保することができる。
【図面の簡単な説明】
【００１１】
【図１】本発明の帽子の断面図（図１（１））および底面図（図１（２））である。
【図２】図１に示す帽子を被着した状態を示す縦断側面図である。
【図３】本発明の他の実施形態を示す帽子の断面図である。
【図４】本発明の別の実施形態を示す帽子の平面図（図４（１））および側面図（図４（２））である。
【図５】本発明のさらに別の実施形態を示す帽子の平面図（図５（１））および側面図（図５（２））である。
【発明を実施するための形態】
【００１２】
以下、本発明に係る帽子の実施形態を図面に基づいて説明する。
図１（１）は本発明の帽子の断面図、図１（２）は本発明の帽子の底面図であり、帽子を構成するつば４およびクラウン２が示されている。
【００１３】
クラウン２の内側には、バンド５が帽体前部に設けられている。本発明の帽子を被着した状態において、被着者の前額部に前記バンド５が接触するが前記クラウン２は接触しない。これにより、被着者の前額部と前記クラウン２の間に隙間６が形成される。バンド５は、通常、頭周りに設けられる汗止め（すべり）の一部として構成されるが、必ずしも汗止め（すべり）の一部として構成する必要はなく、被着者の前額部と前記クラウン２との間に隙間６を形成することのできる態様であれば良い。したがって、その素材や大きさに格別の制限はなく、例えば、生地でなくても樹脂製のバンド５を用いることも可能である。ただし、バンド５は被着者の前額部に直接触れる部分を構成するため、帽子の被り心地やフィット感を考慮して適宜、その素材や大きさを決定する。
【００１４】
前額部と前記クラウン２の間の隙間６について、その大きさや形状に格別の制限はない。隙間６は主に帽体外からの風を帽体内に導入するための通気口としての役割を果たす。隙間６が大きいほど帽体外からの風を帽体内に導入しやすくなるが、外観などを考慮して隙間６の大きさや形状を適宜決定する。帽子の前後方向における、隙間６の最長幅は１０ｍｍ〜３０ｍｍの範囲であることが好ましい。
【００１５】
クラウン２の内側には内層３が設けられる。内層３の一端部は、前額部における前記バンド５に連結される。内層３とバンド５の連結方法に格別の制限はなく、縫製や接着により連結しても良いし、ボタンや面ファスナーなどの連結部材を用いても良い。本実施形態では、内層３の一端部とバンド５、内層３の他端部とクラウン２の後部とをそれぞれ縫製により連結している。
内層３はメッシュ地、ベルト状のもの、ハンモック状のものなど、通気性の良い素材、形状のものを用いることが好ましいが、その素材、形状に格別の制限はない。
【００１６】
本実施形態において、クラウン２はクラウン２Ａと２Ｂの２枚の生地で構成されており、クラウン２Ａと２Ｂの間に上部通気口７を設けている。より具体的には、クラウン２Ａと２Ｂのそれぞれのカット部分を上下方向にずらして重ねて配置し、当該カット部分を相互に接続しないことにより、上部通気口７を設けている。本実施形態では、クラウン２Ａを上方に、クラウン２Ｂを下方に配置したが、その逆であっても良い。ただし、クラウン２Ａを上方に配置した方が、帽体内部に導入された空気がクラウン２Ａの内側に沿って上部通気口７から排出されやすくなるので、より通風効果が高まる。
【００１７】
本実施形態では、クラウン２をクラウン２Ａと２Ｂの２枚の生地で構成することにより、上部通気口７を形成したが、上部通気口７の形成方法に格別の制限はない。クラウン２の表面に穴を設けることで上部通気口７を形成しても良いし、クラウン２の一部をメッシュ素材などの通気性の良い生地とすることで上部通気口７の役割を持たせることも可能である。上部通気口を設ける際には、太陽光や紫外線、雨などから被着者の頭部を保護することのできる形態になるよう配慮が必要である。
【００１８】
本発明によれば、クラウン２と内層３の間に空気の通り道が確保されるため、外気が隙間６から導入されると、クラウン２と内層３の間にある空気の通り道を、隙間６から導入された空気が確実に流れていくので、被着者の清涼感が改善される。特に、帽子を頭部にしっかりフィットさせた場合であっても、クラウン２と内層３の間の空気の通り道が小さくなることは無いので、帽子を頭部にしっかりフィットさせながらも通気性を十分に確保することができる。加えて、内層３が被着者の頭部をホールドする役割を果たすので、帽子のフィット感も向上し、激しい動きを伴うスポーツの場面であっても、帽子が頭部から外れる心配がなく、競技者が競技に集中することが可能になる。
【００１９】
また、図２に示すとおり前記隙間６から帽体内に空気Ｗが導入されると、クラウン２と内層３の間にある空気の通り道を空気Ｗが流れ、この空気Ｗが上部通気口７を介して帽体外に排出される。上部通気口７の位置について、帽子の上部であれば格別の制限はないが、自然対流または強制対流を生みやすいという観点から、クラウン２の頭頂部に設けることが好ましい。暖かい空気は上に上り、冷たい空気は下にたまるという性質を利用し、低い位置から高い位置へ風を通すようにすると通風効果が上がる。
【００２０】
続いて、本発明の他の実施形態について、図３を用いて説明する。
図３には本実施形態における帽子の断面図が示されている。
【００２１】
本実施形態において、内層３の一端部とバンド５を連結している点は、図１および２の実施形態と同じであるが、内層の他端部をクラウン２Ｂの端部と連結している点が、図１および２の実施形態とは異なる。内層３の他端部をクラウン２Ｂの端部に連結することにより、よりシンプルな構造を実現することが可能になる。したがって、本実施形態の帽子は製作が容易であり、コストダウン、軽量化を図ることができる。
【００２２】
次に、本発明の別の実施形態について、図４（１）および（２）を用いて説明する。
図４（１）は本実施形態を示す帽子の平面図であり、図４（２）は本実施形態を示す帽子の側面図である。
【００２３】
本実施形態では、クラウン２の両側部に側部通気口８、８を設けている。したがって、前記隙間６に加えてクラウン２の両側部の側部通気口８、８から帽体内に外気が導入されるので、本発明の帽子の通気性はより高くなる。前記隙間６およびクラウン２の両側部の側部通気口８、８から導入された外気は、クラウン２Ａの内側に沿って上部通気口７から排出される。本実施形態では、クラウン２Ａ、２Ｂが内層３の中央部のみを覆い、内層３の両側部を露出させ、クラウン２Ａ、２Ｂと内層３の両側部を相互に接続しないことによって側部通口８、８を形成しているが、側部通気口８、８の形成方法に格別の制限はない。
【００２４】
次に、本発明のさらに別の実施形態について、図５（１）および（２）を用いて説明する。
図５（１）は本実施形態を示す帽子の平面図であり、図５（２）は本実施形態を示す帽子の側面図である。
【００２５】
本実施形態では、クラウン２をクラウン２Ａ、２Ｂ、２Ｃの３枚の生地で構成することにより、上部通気口７に加えて、後部通気口９を設けている。より具体的には、クラウン２Ａ、２Ｂ、２Ｃのそれぞれのカット部分を上下方向にずらして重ねて配置し、当該カット部分を相互に接続しないことにより、上部通気口７および後部通気口９を設けている。本実施形態では、クラウン２Ａを上方に、クラウン２Ｂをその下方に配置し、クラウン２Ｃをクラウン２Ｂの下方に配置しているが、これらクラウン２の生地の配置方法に格別の制限はなく、帽体内に導入された空気がクラウン２Ａ、２Ｂの内側に沿って上部通気口７および後部通気口９から排出されやすい形態となっていれば良い。
【００２６】
本実施形態において、前記隙間６および側部通気口８、８から帽体内に空気Ｗが導入されると、クラウン２と内層３の間にある空気の通り道を空気Ｗが流れ、この空気Ｗが上部通気口７および後部通気口９を介して帽体外に排出される。
【産業上の利用可能性】
【００２７】
以上、通気性に関する帽子の実施形態について説明したが、本発明に係る帽子は、キャップだけではなく、ハンチング、キャスケットなど、幅広く適用することができる。
【符号の説明】
【００２８】
２      クラウン
３      内層
４      つば
５      バンド
６      隙間
７      上部通気口
８      側部通気口
９      後部通気口
【図１】
2018178265.tif 000003
【図２】
2018178265.tif 000004
【図３】
2018178265.tif 000005
【図４】
2018178265.tif 000006
【図５】
2018178265.tif 000007
【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
つばとクラウンから構成される帽子であって、前記クラウンはクラウン前部とクラウン後部を有し、クラウン前部の内側にバンドが設けられ、帽子を被着した状態において、前額部に前記バンドが接触するがクラウン前部は接触しないで、前額部とクラウン前部の間に隙間が形成される帽子において、クラウン前部の内側に内層を設け、前記バンドと前記内層の一端部とを連結し、前記内層の他端部とクラウン後部とを連結することにより、クラウン前部とクラウン後部との間に通気口を設けたことを特徴とする帽子。
【請求項２】
前記クラウン前部とクラウン後部との間に設けた通気口が前記クラウンの上部に設けた上部通気口である請求項１記載の帽子。
【請求項３】
前記クラウン前部が前記内層の中央部のみを覆い、前記内層の両側部を露出させ、前記クラウン前部と前記内層の両側部とを相互に接続しないことによって側部通気口を形成した請求項１または２記載の帽子。
【請求項４】
前記クラウン後部の後方に、さらに前記クラウンを構成するクラウン付加部を有し、前記クラウン後部と前記クラウン付加部とを相互に接続しないことにより、前記クラウン後部と前記クラウン付加部との間に通気口を設けた請求項１〜３のいずれかに記載の帽子。